(57)【要約】【課題】屋内側からワンタッチの解錠操作が可能であり、且つ、屋外側から屋内側に腕をまわした場合には屋内側からの解錠操作が不能となる門ユニットを提供する。【解決手段】電気錠３を備えた門ユニット１において、屋内Ａ側に簡易に操作可能な解錠ボタン６を備えるとともに、門ユニット１上方を通るように腕をまわしての解錠操作を不能にする不正解錠防止手段として、門ユニット１の屋外Ｂ側に近接した人体を検知する人体検知部１２と、該人体検知部１２からの検知信号を受信して電気錠３の解錠を不能にする制御部１１とを設ける。【選択図】        図１
2004150207.tif 000002
【特許請求の範囲】
【請求項１】
錠を備えた門ユニットにおいて、屋内側に手指操作可能な簡易解錠操作部を備えるとともに、屋外側から門ユニット上方を通るように屋内側に腕をまわして簡易解錠操作部を操作して行う解錠操作を不能にする不正解錠防止手段を備えていることを特徴とする門ユニット。
【請求項２】
錠として電気錠を備えたことを特徴とする請求項１記載の門ユニット。
【請求項３】
不正解錠防止手段として、門ユニットの屋外側に近接した人体を検知する人体検知部と、該人体検知部からの検知信号を受信して電気錠の解錠を不能にする制御部とを設けたことを特徴とする請求項２記載の門ユニット。
【請求項４】
人体検知部が、門ユニットの屋外側に設けた電気錠操作用コントローラに設置される人体検知センサであることを特徴とする請求項３記載の門ユニット。
【請求項５】
人体検知部が、門ユニットの屋外側に設けた電気錠操作用コントローラを通る略垂直線上に設置される人体検知センサであることを特徴とする請求項３記載の門ユニット。
【請求項６】
不正解錠防止手段として、屋外側から屋内側にまわした腕を門ユニットの上方で検知する人体検知部と、該人体検知部からの検知信号を受信して電気錠の解錠を不能にする制御部とを設けたことを特徴とする請求項２記載の門ユニット。
【請求項７】
不正解錠防止手段として、下方に開口した指入れ孔を有する保護カバーを、簡易解錠操作部の周囲を覆うように設置したことを特徴とする請求項１〜６のいずれか記載の門ユニット。
【請求項８】
指入れ孔の開口幅を、指の幅よりも僅かに大きく形成したことを特徴とする請求項７記載の門ユニット。
【請求項９】
簡易解錠操作部の下方であり保護カバーの内面と対向する箇所に、解錠操作が可能な指の曲げ方向を規制する規制リブを突設したことを特徴とする請求項７又は８記載の門ユニット。
【発明の詳細な説明】
【０００１】
【発明の属する技術分野】
本発明は門ユニットに関し、詳しくは、屋外側からの不正な解錠操作を防止する為の技術に関する。
【０００２】
【従来の技術】
錠を備えた門ユニットにおいては、施解錠を操作する操作部が門ユニットの屋外側と屋内側にそれぞれ設置されている。これら操作部としてコイン式サムターンやシークレットスイッチを利用したものがあるが、外出時の解錠操作はワンタッチで簡易に行えることが好ましいことから、屋内側に設置される操作部をボタン式にしたものが提案されている（特許文献１参照）。しかしながら、このように屋内側にボタン式の操作部を設置した場合には、門ユニットの上方から腕をまわせば屋外側から屋内側の操作部をワンタッチ操作で解錠させることが容易であり、防犯上の問題となる。これに対して、屋内側の操作部を屋外側から腕をまわしても届かない位置、即ち、門ユニットを構成する門扉の下方や、門扉から離れた側方の門壁等に設置することも考えられるが、この場合には屋内側からもすぐ手を伸ばせる位置に操作部がないこととなり、家人にとっては操作が面倒である。
【０００３】
【特許文献１】
特開平８−１３９６４号公報
【０００４】
【発明が解決しようとする課題】
本発明は上記の点に鑑みてなされたものであり、屋内側からワンタッチの解錠操作が可能であり、且つ、門ユニット上方に腕をまわしての不正な解錠操作を不能とする門ユニットを提供することを課題とするものである。
【０００５】
【課題を解決するための手段】
上記課題を解決するために本発明を、錠を備えた門ユニットにおいて、屋内側に手指操作可能な簡易解錠操作部を備えるとともに、屋外側から門ユニット上方を通るように屋内側に腕をまわして簡易解錠操作部を操作して行う解錠操作を不能にする不正解錠防止手段を備えていることを特徴としたものとする。このようにすることで、外出時等には屋内側から簡易に解錠操作を行うことができて利便性が確保されるとともに、屋外側からは門ユニット上方に腕をまわしても解錠操作が行われないので防犯上も問題がないものとなる。
【０００６】
また、錠として電気錠を備えることも好ましく、このようにすることで、施解錠を確実且つ容易に行うことができる。
【０００７】
また、不正解錠防止手段として、門ユニットの屋外側に近接した人体を検知する人体検知部と、該人体検知部からの検知信号を受信して電気錠の解錠を不能にする制御部とを設けることも好ましく、このようにすることで、門ユニット上方に腕をまわしての解錠操作が行われる場合には必然的に門ユニットに人体が近接することを利用して、確実に不正解錠を防止することができる。
【０００８】
また、人体検知部が、門ユニットの屋外側に設けた電気錠操作用コントローラに設置される人体検知センサであることも好ましく、このようにすることで、不正解錠しようとする人体を確実に検知することができる。
【０００９】
また、人体検知部が、門ユニットの屋外側に設けた電気錠操作用コントローラを通る略垂直線上に設置される人体検知センサであることも好ましく、このようにすることで、不正解錠しようとする人体を確実に検知することができる。
【００１０】
また、不正解錠防止手段として、屋外側から屋内側にまわした腕を門ユニットの上方で検知する人体検知部と、該人体検知部からの検知信号を受信して電気錠の解錠を不能にする制御部とを設けることも好ましく、このようにすることで、門ユニット上方に腕をまわしての解錠操作が行われる場合には必然的に門ユニット上方に腕の一部が位置することを利用して、確実に不正解錠を防止することができる。
【００１１】
また、不正解錠防止手段として、下方に開口した指入れ孔を有する保護カバーを、簡易解錠操作部の周囲を覆うように設置することも好ましく、このようにすることで、簡単な構成により低コストで防犯性を向上させることができる。
【００１２】
また、指入れ孔の開口幅を、指の幅よりも僅かに大きく形成することも好ましく、このようにすることで、仮に屋外側から腕をまわして指入れ孔に指先を入れることができた場合であっても簡易解錠操作部を上手く操作することができなくなり、更に防犯性を向上させることができる。
【００１３】
また、簡易解錠操作部の下方であり保護カバーの内面と対向する箇所に、解錠操作が可能な指の曲げ方向を規制する規制リブを突設することも好ましく、このようにすることで、仮に屋外側から腕をまわして指入れ孔に指先を入れることができた場合であっても保護カバー内で指先を上手く曲げて簡易解錠操作部を操作することができなくなり、更に防犯性を向上させることができる。
【００１４】
【発明の実施の形態】
以下、本発明を添付図面に示す実施の形態に基づいて説明する。図２には、本発明の実施の形態における一例の門ユニット１を門柱２０，２０に設置した場合を示している。一例の門ユニット１は、門柱２０，２０にそれぞれ蝶番等を介して開閉自在に接続させた一対の門扉２，２と、両門扉２，２を閉状態にロックする錠とを備えたものである。前記錠は電気錠３であり、図３に示すように一方の門扉２の召し合せ側縦框２ａには、電気錠３の施解錠を操作する一対の電気錠操作用コントローラ４ａ，４ｂを屋内Ａ側及び屋外Ｂ側にそれぞれ露出させて具備したコントローラ４を設置している。屋外Ｂ側の電気錠操作用コントローラ４ｂには、キー操作により解錠を行う為のキー操作部として、例えばＩＣカード読み取り部５を設けており、該ＩＣカード読み取り部５から読み取ったデータが記憶データと一致する場合に電気錠３を解錠させることで不審者等による屋外Ｂ側からの解錠を防止するようになっている。
【００１５】
図５等に示すように、屋内Ａ側の電気錠操作用コントローラ４ａには、キー操作以外の手指操作により簡易に解錠可能な簡易解錠操作部として、解錠ボタン６を設けている。前記解錠ボタン６は、屋内Ａ側からの外出時等にこれを指先で押込むだけのワンタッチ操作で電気錠３を解錠させるものであり、利便性を考慮して屋内Ａ側から手を伸ばし易い位置、即ち、電気錠操作用コントローラ４ａの正面（屋内Ａ側を向く面）の略中央部に設置している。また、電気錠操作用コントローラ４ａの正面には、解錠ボタン６の周囲を囲むように保護カバー７を設置している。保護カバー７は、下方に開口した指入れ孔８を有して解錠ボタン６の下方を外部と連通させるとともに該解錠ボタン６の上方、両側方、及び正面方向を外部から遮断するものであり、指入れ孔８を介して下方からのみ指を挿入してのボタン操作が可能であることから、屋外Ｂ側から門ユニット１上方を通るように屋内Ａ側に腕をまわしても保護カバー７が障壁となって解錠ボタン６を操作することができなくなっている。つまり、本例の門ユニット１は、不正解錠防止手段として前記保護カバー７を設けたものである。なお、指入れ孔８の開口幅は指の幅よりも僅かに大きく形成することが好ましい。
【００１６】
また、電気錠操作用コントローラ４ａの正面において解錠ボタン６の下方であり且つ保護カバー７の内面と対向する箇所には、解錠ボタン６よりも大きく屋内Ａ側に突出した規制リブ９を設けている。前記規制リブ９は、解錠操作が可能な指の曲げ方向を規制するものであり、図６（ａ）に示すように、屋内Ａ側から指入れ孔８を介して保護カバー７内に指を挿入して、指先の関節を屋内Ａ側に凸に曲げることでこの規制リブ９を避けて解錠ボタン６を押込み可能になっている。これに対して図６（ｂ）に示すように、仮に屋外Ｂ側から門ユニット１上方を通るように屋内Ａ側に大きく腕をまわし、指入れ孔８を介して保護カバー７内に指を挿入することができたとしても、この場合の指先は屋外Ｂ側に凸にしか曲げることができない。規制リブ９は、保護カバー７内に下方から挿入した指先を屋内Ａ側に凸に曲げた場合のみ解錠ボタン６が押込み可能なように位置及び高さを設計したものであるから、門ユニット１上方を通るように腕をまわした場合は規制リブ９が邪魔になって解錠ボタン６が操作不能となる。つまり、本例の門ユニット１は、不正解錠防止手段として更に前記規制リブ９を設けたものである。規制リブ９の断面形状は屋内Ａ側からの操作の支障にならない形状、即ち、略三角形状や略半円形状にすることが好ましい。なお、図中１０は施錠ボタンであり、手指操作により簡易に施錠可能な簡易施錠操作部となっている。
【００１７】
また、本例においては、上記の保護カバー７や規制リブ９といった構造的な不正解錠防止手段に加えて、電気的な不正解錠防止手段として、門ユニット１の屋外Ｂ側に近接した人体を検出する人体検知部１２と、該人体検知部１２からの検知信号を受信して電気錠３の解錠を不能とする制御部１１とを設けている。前記人体検知部１２として具体的には、屋外Ｂ側の電気錠操作用コントローラ４ｂの正面（屋外Ｂ側を向く面）に、反射型赤外線センサ、焦電型人体センサ、赤外線式測距センサ等を用いた人体検知センサ１２ａを設置している。
【００１８】
図４に示すように、屋外Ｂ側から門ユニット１上方を通るように屋内Ａ側に腕をまわして屋内Ａ側の解錠ボタン６を操作しようとするとき、必然的に人体は門ユニット１に（特に屋外Ｂ側の電気錠操作用コントローラ４ｂの正面に）近接することとなり、人体検知センサ１２ａから制御部１１に検知信号が送られた場合には、制御部１１に解錠ボタン６から解錠信号が送られてもこれをキャンセルして電気錠３を解錠しないので、不審者による屋外Ｂ側からの解錠を確実に防止することができる。ここで、屋外Ｂ側の通行人検知等による誤作動を防止する為には、人体検知センサ１２ａから所定時間（例えば２秒間）だけ継続的に検知信号が送られた後に制御部１１が電気錠３の解錠を不能にするように設定することが好ましい。なお、人体検知センサ１２ａの設置個所は電気錠操作用コントローラ４ｂ上に限らず、門ユニット１における電気錠操作用コントローラ４ｂを通る略垂直線上の箇所であればよい。
【００１９】
また、上記の門ユニット１の屋外Ｂ側に近接した人体を検出する人体検知部１２の代りに、屋内Ａ側であり且つ屋外Ｂ側からは腕の届かない位置の人体を検知する人体検知部（図示せず）を設け、制御部１１が該人体検知部からの検知信号を受信した場合にのみ電気錠３の解錠を可能とするようにしてもよい。この場合、人体検知部を門ユニット１側方の屋外Ｂ側からは腕の届かない位置に設置して検知領域を同様に屋外Ｂ側からは腕の届かない領域にするか、若しくは、人体検知部として測距センサを門ユニット１の屋内Ａ側に設置するとともに検知領域を屋外Ｂ側からは腕の届かない領域に設定して、家人が門ユニット１に近接する前に検知を行えばよい。
【００２０】
また、上記の門ユニット１の屋外Ｂ側に近接した人体を検出する人体検知部１２の代りに、屋外Ｂ側から屋内Ａ側にまわした腕を門ユニット１の上方で検知する人体検知部１３を設けることで不正解錠防止手段を構成してもよい。この場合、人体検知部１３として具体的には図７や図８に示すように、門扉２の吊元側縦框２ｂの上面に、反射型赤外線センサ、焦電型人体センサ、赤外線式測距センサ等を用いた人体検知センサ１３ａを設置する。人体検知センサ１３ａは門ユニット１の上面全体に沿う上方領域を検知領域Ｃとしており、屋外Ｂ側から門ユニット１上方を通るように屋内Ａ側に腕をまわして屋内Ａ側の解錠ボタン６を操作しようとすれば、必然的にまわした腕の一部は検知領域Ｃ内に位置することとなる。そして、人体検知センサ１３ａから制御部１１に検知信号が送られた場合には、制御部１１に解錠ボタン６から解錠信号が送られてもこれをキャンセルして電気錠３を解錠せず、したがって不審者による屋外Ｂ側からの解錠を確実に防止することができるものである。
【００２１】
また、前記人体検知部１３を門ユニット１の乗り超え防止手段として兼用可能であり、この場合には、人体検知部１３からの検知信号を受けた制御部１１が音発生部１４から威嚇音を作動させる機能を追加すればよい。そして、この状態で更に解錠ボタン６が操作された場合には警報音を発生させるようにするのも好適である。
【００２２】
なお、不正解錠防止手段として上記の全てを用いる必要はなく、保護カバー７を設けただけのものであってもよいし、保護カバー７と規制リブ９を設けただけのものであってもよいし、これら構造的な不正解錠防止手段に加えて、電気的な不正解錠防止手段として上記した各手段をそれぞれ組み合わせたものであってもよいし、もちろん電気的な不正解錠防止手段だけのものであっても構わない。そして、構造的な不正解錠防止手段によっては低コストでの防犯が可能になり、電気的な不正解錠防止手段によっては確実な防犯が可能になり、これらの併用によっては更に確実な防犯が可能になるものである。
【００２３】
【発明の効果】
上記のように請求項１記載の発明にあっては、外出時等には屋内側から簡易に解錠操作を行うことができて利便性が確保されるとともに、屋外側からは門ユニット上方に腕をまわしても解錠操作が行われないので防犯上も問題がないものになるという効果がある。
【００２４】
また、請求項２記載の発明にあっては、請求項１記載の発明の効果に加えて、施解錠を確実且つ容易に行うことができるという効果がある。
【００２５】
また、請求項３記載の発明にあっては、請求項２記載の発明の効果に加えて、門ユニット上方に腕をまわしての解錠操作が行われる場合には必然的に門ユニットに人体が近接することを利用して、確実に不正解錠を防止することができるという効果がある。
【００２６】
また、請求項４記載の発明にあっては、請求項３記載の発明の効果に加えて、不正解錠しようとする人体を確実に検知することができるという効果がある。
【００２７】
また、請求項５記載の発明にあっては、請求項３記載の発明の効果に加えて、不正解錠しようとする人体を確実に検知することができるという効果がある。
【００２８】
また、請求項６記載の発明にあっては、請求項２記載の発明の効果に加えて、門ユニット上方に腕をまわしての解錠操作が行われる場合には必然的に門ユニット上方に腕の一部が位置することを利用して、確実に不正解錠を防止することができるという効果がある。
【００２９】
また、請求項７記載の発明にあっては、請求項１〜６のいずれか記載の発明の効果に加えて、簡単な構成により低コストで防犯性を向上させることができるという効果がある。
【００３０】
また、請求項８記載の発明にあっては、請求項７記載の発明の効果に加えて、仮に屋外側から腕をまわして指入れ孔に指先を入れることができた場合であっても簡易解錠操作部を上手く操作することができなくなり、更に防犯性を向上させることができるという効果がある。
【００３１】
また、請求項９記載の発明にあっては、請求項７又は８記載の発明の効果に加えて、仮に屋外側から腕をまわして指入れ孔に指先を入れることができた場合であっても保護カバー内で指先を上手く曲げて簡易解錠操作部を操作することができなくなり、更に防犯性を向上させることができるという効果がある。
【図面の簡単な説明】
【図１】本発明の実施の形態における一例の門ユニットの不正解錠防止手段を示すブロック図である。
【図２】同上の門ユニットの設置例を示す説明図である。
【図３】同上の門ユニットの門扉を示す説明図である。
【図４】同上の門ユニットにおける屋外側からの不正解錠操作を示す説明図である。
【図５】同上のコントローラを示す説明図である。
【図６】同上のコントローラの構造的な不正解錠防止手段を示す説明図であり、（ａ）は通常の解錠時、（ｂ）は不正解錠時である。
【図７】同上の他の人体検知センサを備えた場合の門ユニットの門扉を示す説明図である。
【図８】同上の他の人体検知センサを備えた場合の門ユニット全体を示す説明図である。
【符号の説明】
１  門ユニット
３  電気錠
４ａ，４ｂ  電気錠操作用コントローラ
６  解錠ボタン
７  保護カバー
８  指入れ孔
９  規制リブ
１１  制御部
１２，１３  人体検知部
１２ａ  人体検知センサ
Ａ  屋内
Ｂ  屋外
【図１】
2004150207.tif 000003
【図２】
2004150207.tif 000004
【図３】
2004150207.tif 000005
【図４】
2004150207.tif 000006
【図５】
2004150207.tif 000007
【図６】
2004150207.tif 000008
【図７】
2004150207.tif 000009
【図８】
2004150207.tif 000010